(57)【特許請求の範囲】
【請求項１】
焦点調節に用いる回転操作部材と、
撮像光学系の複数に分割された射出瞳の領域ごとに被写体光を光電変換して、前記複数に分割された射出瞳の領域ごとに画像信号を出力する撮像手段と、
被写体のエッジ方向を抽出する抽出手段と、
前記被写体のエッジ方向に基づいて、前記複数に分割された射出瞳の領域ごとの画像信号から加算合成するための画像信号の組み合わせを選択する選択手段と、
前記被写体のエッジ方向に対応する、合焦に必要な前記回転操作部材の回転方向と回転量とを示す参照画像を生成する生成手段と、
前記生成された参照画像を表示する表示手段と、
前記複数に分割された射出瞳の領域ごとの画像信号に基づいて検出された位相差ＡＦ方式の検出結果に応じた前記回転操作部材の回転量と回転方向に対応した前記参照画像が有する傾斜角度を算出する算出手段と、を備え、
前記生成手段は、前記選択された画像信号を加算合成して第１の画像と第２の画像とを生成し、前記第１の画像と前記第２の画像とに基づいて、前記傾斜角度に応じた画像合成処理を実行して前記参照画像を生成する
ことを特徴とする撮像装置。
【請求項２】
前記生成手段は、前記被写体のエッジ方向が水平に有意の場合に、左右に分割された前記参照画像を生成し、前記被写体のエッジ方向が垂直に有意の場合に、上下に分割された前記参照画像を生成する
ことを特徴とする請求項１に記載の撮像装置。
【請求項３】
前記選択手段は、
前記被写体のエッジ方向が水平に有意の場合に、前記複数に分割された射出瞳の領域から、上側と下側の射出瞳の領域を選択し、
前記被写体のエッジ方向が垂直に有意の場合に、前記複数に分割された射出瞳の領域から、左側と右側の射出瞳の領域を選択する
ことを特徴とする請求項２に記載の撮像装置。
【請求項４】
前記回転操作部材の回転方向と回転量とに応じて、前記分割された参照画像の分割線に沿ったずれが変化する
ことを特徴とする請求項２または請求項３に記載の撮像装置。
【請求項５】
前記分割線は、前記回転操作部材の回転方向と回転量とに応じた傾斜角度を有する
ことを特徴とする請求項４に記載の撮像装置。
【請求項６】
前記傾斜角度は、前記回転操作部材の回転方向と回転量が同じであれば、前記参照画像の分割方向が左右でも上下でも変わらない
ことを特徴とする請求項５に記載の撮像装置。
【請求項７】
前記被写体のエッジ方向が抽出済みであるかを判断する判断手段を備え、
前記被写体のエッジ方向が抽出済みでない場合に、前記抽出手段が、前記被写体のエッジ方向を抽出し、前記選択手段が、前記選択する射出瞳の領域を、前記被写体のエッジ方向に対応する射出瞳の領域に切り替える
ことを特徴とする請求項１乃至６のいずれか１項に記載の撮像装置。
【請求項８】
前記抽出手段は、任意の被写体または前記参照画像を表示する領域内の被写体のエッジ方向を抽出する
ことを特徴とする請求項１乃至７のいずれか１項に記載の撮像装置。
【請求項９】
撮像光学系の複数に分割された射出瞳の領域ごとに被写体光を光電変換して、前記複数に分割された射出瞳の領域ごとに画像信号を出力する撮像手段と、焦点調節に用いる回転操作部材と、を備える撮像装置の制御方法であって、
被写体のエッジ方向を抽出する抽出工程と、
前記被写体のエッジ方向に基づいて、前記複数に分割された射出瞳の領域ごとの画像信号から加算合成するための画像信号の組み合わせを選択する選択工程と、
前記被写体のエッジ方向に対応する、合焦に必要な前記回転操作部材の回転方向と回転量とを示す参照画像を生成する生成工程と、
前記生成された参照画像を表示する表示工程と、
前記複数に分割された射出瞳の領域ごとの画像信号に基づいて検出された位相差ＡＦ方式の検出結果に応じた前記回転操作部材の回転量と回転方向に対応した前記参照画像が有する傾斜角度を算出する算出工程と、を有し、
前記生成工程では、前記選択された画像信号を加算合成して第１の画像と第２の画像とを生成し、前記第１の画像と前記第２の画像とに基づいて、前記傾斜角度に応じた画像合成処理を実行して前記参照画像を生成する
ことを特徴とする制御方法。
【発明の詳細な説明】
【技術分野】
【０００１】
本発明は、撮像装置および制御方法に関する。
【背景技術】
【０００２】
ユーザが被写体に焦点を合わせる際のアシスト機能として、スプリットイメージの表示機能を有するデジタルカメラ等の撮像装置が提案されている。スプリットイメージは、ピントのずれ量に応じて、２つの像が所定の方向にずれた様子を表現する参照画像である。ユーザは、スプリットイメージを参照しながら、２つの像のずれをなくすように、焦点調節に用いる回転操作部材であるフォーカシングリングを回転させることで、被写体に焦点を合わせることができる。しかし、ユーザが、フォーカシングリングの回転方向と焦点の移動方向の関係を把握していないと、素早くかつ正確に被写体に焦点を合わせることが難しい。
【０００３】
特許文献１は、合焦状態に対して、Ｚ軸方向の手前側・奥側の合焦状態の評価結果に応じて、撮像した画像にフォーカシングリングの回転方向を示すマーカーを合成して表示する撮像装置を開示している。また、特許文献２は、合焦状態に対して、フォーカシングリングを時計回り、反時計回りに移動した時の画像をそれぞれ撮像して表示する撮像装置を開示している。
【先行技術文献】
【特許文献】
【０００４】
【特許文献１】特開２００７−２７９３３４号公報
【特許文献２】特開２０１４−８９３２９号公報
【発明の概要】
【発明が解決しようとする課題】
【０００５】
従来、スプリットイメージの表示機能を有する撮像装置では、被写体情報に含まれる被写体のエッジ方向によっては以下の問題があった。被写体のエッジ方向が水平である場合、ピントのずれを示す２つの像が上下方向に分割されていると、ピントのずれ量がわかりにくい。また、被写体のエッジ方向が垂直である場合、ピントのずれを示す２つの像が左右方向に分割されていると、ピントのずれ量がわかりにくい。
【０００６】
本発明は、焦点調節用の回転操作部材の、合焦に必要な回転方向と回転量を、被写体のエッジ方向に応じて視覚的に理解しやすく示すことができる撮像装置の提供を目的とする。
【課題を解決するための手段】
【０００７】
本発明の一実施形態の撮像装置は、焦点調節に用いる回転操作部材と、撮像光学系の複数に分割された射出瞳の領域ごとに被写体光を光電変換して、前記複数に分割された射出瞳の領域ごとに画像信号を出力する撮像手段と、被写体のエッジ方向を抽出する抽出手段と、前記被写体のエッジ方向に基づいて、前記複数に分割された射出瞳の領域ごとの画像信号から加算合成するための画像信号の組み合わせを選択する選択手段と、前記被写体のエッジ方向に対応する、合焦に必要な前記回転操作部材の回転方向と回転量とを示す参照画像を生成する生成手段と、前記生成された参照画像を表示する表示手段と、前記複数に分割された射出瞳の領域ごとの画像信号に基づいて検出された位相差ＡＦ方式の検出結果に応じた前記回転操作部材の回転量と回転方向に対応した前記参照画像が有する傾斜角度を算出する算出手段と、を備え、前記生成手段は、前記選択された画像信号を加算合成して第１の画像と第２の画像とを生成し、前記第１の画像と前記第２の画像とに基づいて、前記傾斜角度に応じた画像合成処理を実行して前記参照画像を生成する。
【発明の効果】
【０００８】
本発明の撮像装置によれば、焦点調節用の回転操作部材の、合焦に必要な回転方向と回転量を、被写体のエッジ方向に応じて視覚的に理解しやすく示すことができる。
【図面の簡単な説明】
【０００９】
【図１】撮像装置の構成を示す図である。
【図２】スプリットイメージの表示処理を説明するフローチャートである。
【図３】瞳分割領域ごとのデジタル画像信号に係る画像を示す図である。
【図４】画像処理部による表示用画像の生成処理を説明する図である。
【図５】画像処理部による表示用画像の生成処理を説明する図である。
【図６】スプリットイメージの表示処理を説明するフローチャートである。
【図７】瞳分割パターンの例を示す図である。
【発明を実施するための形態】
【００１０】
（実施例１）
図１は、本実施形態の撮像装置の構成を示す図である。
撮像装置１００は、撮像部１０１と、画像処理部１０５と、被写体情報抽出部１０６と、位相差検出部１０７と、制御部１０８と、操作部１０９とを備える。また、撮像装置１００は、揮発性メモリ１１０と、不揮発性メモリ１１１と、表示部１１２と、記憶媒体制御部１１３と、記憶媒体１１４と、バス１１５とを備える。
【００１１】
撮像部１０１は、撮像光学系１０２、撮像素子１０３、Ａ／Ｄ変換部１０４を有し、撮像光学系１０２から入射した光をデジタル画像信号に変換する撮像処理を行う。撮像光学系１０２は、フォーカシングレンズを含むレンズ群およびフォーカシングリングを有する。フォーカシングリングは、焦点調節に用いる回転操作部材である。ユーザは、フォーカシングリングを回転させて、フォーカシングレンズの位置を調整することにより、撮像装置１００の焦点調節を行うことができる。
【００１２】
撮像素子１０３は、撮像光学系１０２で受光した光をアナログ画像信号に変換する。撮像素子１０３は、変換したアナログ画像信号をＡ／Ｄ変換部１０４へ出力する。撮像素子１０３の１つの画素は、複数の瞳分割領域を持ち、受光した被写体光を瞳分割領域ごとにアナログ画像信号に光電変換できる。Ａ／Ｄ変換部１０４は、撮像素子１０３が変換したアナログ画像信号を、デジタル画像信号へ変換する。
【００１３】
制御部１０８は、撮像装置１００全体を制御する。具体的には、制御部１０８は、不揮発性メモリ１１１内のＦＲＯＭからプログラムをロードして実行することにより、バス１１５で接続された各ブロックを制御する。制御部１０８は、例えば、撮像部１０１を制御して撮像を行う。また、制御部１０８は、Ａ／Ｄ変換部１０４が変換したデジタル画像信号を、揮発性メモリ１１０へ記録するように制御する。撮像素子１０３から瞳分割領域ごとにアナログ信号が出力されるので、瞳分割領域ごとにデジタル画像信号が得られ、揮発性メモリ１１０に記録される。
【００１４】
画像処理部１０５は、制御部１０８の指示により、揮発性メモリ１１０に記録されているデジタル画像信号に対して、任意の画像処理を行う。この画像処理は、合成処理、回転処理、色変換処理、リサイズ、圧縮などである。本実施形態における特有の処理として、画像処理部１０５は、制御部１０８の指示により、被写体位置にピントを合わせるために必要なフォーカシングリングの回転方向と回転量を算出する。より詳細には、画像処理部１０５は、被写体のエッジ方向に対応する瞳分割領域ごとに取得される２像に基づいて、合焦に必要な回転方向と回転量を算出する。画像処理部１０５は、算出したフォーカシングリングの回転方向と回転量を示すスプリットイメージを生成する。スプリットイメージは、ピントのずれ量に応じて、２つの像が所定の方向にずれた様子を表現する参照画像である。また、画像処理部１０５は、Ａ／Ｄ変換部１０４で変換した瞳分割領域ごとのデジタル画像信号に画像処理を施し、１枚の撮像画像を生成する。制御部１０８は、生成された撮像画像を揮発性メモリ１１０へ記録するように制御する。被写体情報抽出部１０６は、撮像画像から被写体の情報を抽出する処理を行う。被写体の情報とは、ユーザが指定する任意の被写体や、任意の領域のエッジ方向に関する情報などである。
【００１５】
位相差検出部１０７は、揮発性メモリ１１０に記録されている瞳分割領域ごとのデジタル画像信号に基づいて、位相差を検出する。制御部１０８は、検出した位相差を揮発性メモリ１１０に記録するように制御する。瞳分割領域ごとのデジタル画像信号に基づいて位相差を検出する方法に関しては、公知であるので、説明を省略する。
【００１６】
制御部１０８は、位相差検出部１０７によって検出された位相差に基づいて、位相差ＡＦ方式をもとに、被写体位置にピントを合わせるために必要となるフォーカシングリングの回転量と回転方向とを算出する。制御部１０８は、画像処理部１０５が回転処理を行う際の画像回転量と、フォーカシングリングの回転量および回転方向とを対応づけることで、画像回転量すなわちスプリットイメージが有する回転量を算出する。また、制御部１０８は、被写体情報抽出部１０６が抽出した被写体情報に応じて、瞳分割領域の組み合わせを制御する。撮像素子１０３は、組み合わせられた瞳分割領域ごとにアナログ画像信号に変換できるものとする。また、制御部１０８は、画像処理部１０５がおこなう瞳分割領域ごとのデジタル画像信号の合成処理を制御する。
【００１７】
操作部１０９は、ユーザが撮像装置１００を外部から操作するレリーズボタン、電源ボタン等を有する。ユーザが、操作部１０９を操作し、制御部１０８は操作部１０９の状態に応じて静止画撮影や電源投入などの指示をする。揮発性メモリ１１０は、各ブロックにおいて生成したデータを制御部１０８からの指示により記録するＤＲＡＭである。不揮発性メモリ１１１は、制御部１０８を動作させるための定数、設定値、プログラムを格納するＦＲＯＭである。表示部１１２は、制御部１０８からの指示によって、揮発性メモリ１１０に記録されている撮像画像を表示する。
【００１８】
記憶媒体制御部１１３は、制御部１０８からの制御内容に応じて、揮発性メモリ１１０に記録された撮像画像や動画像を記憶媒体１１４に記録するよう制御する。記憶媒体１１４は、撮影した撮像画像や動画像を記録するための媒体であり、半導体メモリや磁気ディスク等を有する。バス１１５は、各モジュールを接続する。なお、図１に示して説明した撮像装置の構成は一例であり、以下に説明する動作を実行できるのであれば、本発明に係る撮像装置の構成は、図１に示した構成に限定されるものではない。
【００１９】
図２は、実施例１におけるスプリットイメージの表示処理を説明するフローチャートである。
ユーザが、操作部１０９の電源ボタンを操作し、電源を投入すると、撮像装置１００が撮像処理を開始する。ユーザの操作により、操作部１０９のレリーズボタンが全押しされると、制御部１０８が、撮像画像を記憶媒体１１４に記録する。本実施例では、撮像光学系の射出瞳の分割（瞳分割）が上下左右の４分割であり、分割された射出瞳の領域（瞳分割領域）は４個である。瞳分割領域は、複数個であればよく、４個に限定されない。
【００２０】
ステップＳ２０１において、制御部１０８が、レリーズボタンが全押しされているかを判断する。レリーズボタンが全押しされていない場合は、処理がステップＳ２１４に進む。レリーズボタンが全押しされている場合は、処理がステップＳ２０２に進む。
【００２１】
ステップＳ２０２において、制御部１０８が、撮像部１０１に指示して、ライブビュー表示用の撮像を行い、瞳分割領域ごとのデジタル画像信号を取得する。続いて、ステップＳ２０３において、画像処理部１０５が、瞳分割領域ごとのデジタル画像信号に対して加算合成処理を含む画像処理を行い、ライブビュー用画像を生成する。
【００２２】
次に、ステップＳ２０４において、被写体情報抽出部１０６が、ライブビュー用画像から被写体情報を抽出する。被写体情報は、被写体のエッジ方向に関する情報を含む。被写体情報抽出部１０６は、被写体情報を抽出する対象となる領域について、フーリエ変換を行って高周波成分を取り出したり、微分フィルタをかけたりすることで、エッジ方向に関する情報を抽出する。
【００２３】
被写体情報抽出部１０６は、被写体情報をライブビュー用画像全体から抽出してもよいし、顔検出などによって被写体を抽出した後に任意の被写体を選択し、その被写体領域から抽出してもよい。また、被写体情報抽出部１０６は、スプリットイメージを表示する領域内の被写体から被写体情報を抽出してもよい。
【００２４】
次に、ステップＳ２０５において、制御部１０８が、被写体のエッジ方向が水平方向に有意であるかを判断する。この例では、制御部１０８は、被写体のエッジ方向が±４５°以内の方向であれば、被写体のエッジ方向が水平方向に有意であると判断する。そして、処理がステップＳ２０６に進む。また、制御部１０８は、被写体のエッジ方向が４５°〜１３５°の方向であれば、被写体のエッジ方向が垂直方向に有意であると判断する。そして、処理がステップＳ２０７に進む。
【００２５】
ステップＳ２０６において、制御部１０８が、瞳分割を上下方向の瞳分割とする。すなわち、撮像光学系の複数の瞳分割領域から、スプリットイメージの生成に用いる瞳分割領域として、上側と下側の瞳分割領域を選択する。画像処理部１０５は、選択された瞳分割領域ごとの被写体光の光電変換によって得られた画像信号に基づいて、２像（第１の画像と第２の画像）を生成する。
【００２６】
ステップＳ２０７において、制御部１０８が、瞳分割を左右方向の瞳分割とする。すなわち、撮像光学系の複数の瞳分割領域から、スプリットイメージの生成に用いる瞳分割領域として、左側と右側の瞳分割領域を選択する。制御部１０８は、選択された瞳分割領域ごとの被写体光の光電変換によって得られた画像信号に基づいて、２像（第１の画像と第２の画像）を生成する。
【００２７】
図３は、撮像部が出力する瞳分割領域ごとの画像信号に係る画像を示す図である。
図３（Ａ）は、左上の瞳分割領域から得られるデジタル画像信号に係る画像（左上画像）を示す。図３（Ｂ）は、右上の瞳分割領域から得られるデジタル画像信号に係る画像（左上画像）を示す。図３（Ｃ）は、左下の瞳分割領域から得られるデジタル画像信号に係る画像（左下画像）を示す。図３（Ｄ）は、右下の瞳分割領域から得られるデジタル画像信号に係る画像（右下画像）を示す。
【００２８】
図３（Ｅ）は、上下方向の瞳分割の場合に生成される２像を示す。画像処理部１０５は、図３（Ａ）の左上画像と、図３（Ｂ）の右上画像との加算合成処理を行って、上の瞳分割領域に対応する画像（（Ａ）＋（Ｂ））を生成する。また、画像処理部１０５は、図３（Ｃ）の左上画像と、図３（Ｄ）の右下画像との加算合成処理を行って、下の瞳分割領域に対応する画像（（Ｃ）＋（Ｄ））を生成する。
【００２９】
図３（Ｆ）は、左右方向の瞳分割の場合に生成される２像を示す。画像処理部１０５は、図３（Ａ）の左上画像と、図３（Ｃ）の左下画像との加算合成処理を行って、左の瞳分割領域に対応する画像（（Ａ）＋（Ｃ））を生成する。また、画像処理部１０５は、図３（Ｂ）の右上画像と、図３（Ｄ）の右下画像との加算合成処理を行って、右の瞳分割領域に対応する画像（（Ｂ）＋（Ｄ））を生成する。
【００３０】
図２の説明に戻る。ステップＳ２０８において、位相差検出部１０７が、生成された２像の、スプリットイメージの表示対象の領域の位相差を検出する。続いて、ステップＳ２０９において、制御部１０８が、位相差を検出できたかを判断する。位相差を検出できない場合は、処理がステップＳ２１３に進む。位相差を検出できた場合は、処理がステップＳ２１０に進む。
【００３１】
ステップＳ２１０において、制御部１０８が、検出した位相差が０であるかを判断する。検出した位相差が０である場合は、スプリットイメージを表示したい領域のフォーカスが合っていることを意味する。したがって、処理がステップＳ２１３に進む。ステップＳ２１３において、表示部１１２が、ライブビュー用画像を表示する。
【００３２】
検出した位相差が０でない場合は、処理がステップＳ２１１に進む。ステップＳ２１１において、画像処理部１０５が、画像回転処理を実行する。画像処理部１０５は、検出された位相差をもとに、合焦に必要なフォーカシングリングの回転方向と回転量とを算出し、算出したフォーカシングリングの回転方向と回転量とに対応する画像回転量を算出する。画像処理部１０５は、算出した画像回転量に基づいて、ステップＳ２０７またはステップＳ２０６で生成した２像の現像、回転処理を実行する。具体的には、画像処理部１０５は、スプリットイメージを表示する領域の中心を回転の中心として回転処理を実行する。そして、処理がステップＳ２１２に進む。ステップＳ２１２において、画像処理部１０５が、ライブビュー用画像の一部を置換して表示用画像を生成する。すなわち、画像処理部１０５は、瞳分割領域ごとの画像に基づいて、回転を含めた画像合成処理を実行することによって、スプリットイメージを含む表示用画像を生成する。
【００３３】
図４および図５は、画像処理部による表示用画像の生成処理を説明する図である。
図４は、被写体のエッジ方向が垂直方向であって、左側と右側の瞳分割領域ごとの画像が生成された場合の、表示画像の生成を説明する図である。
【００３４】
画像４００は、ライブビュー用画像である。画像４１０は、左の瞳分割領域の画像（（Ａ）＋（Ｃ））に対して画像回転量θ分の回転を行った画像である。画像４２０は、右の瞳分割領域の画像（（Ｂ）＋（Ｄ））に対して画像回転量θ分の回転を行った画像である。
【００３５】
まず、画像処理部１０５が、ライブビュー用画像４００の置換領域を決定する。置換領域はスプリットイメージを表示する領域とする。画像処理部１０５は、置換領域を上下に２分割する。この例では、スプリットイメージを中心に表示するので、画像処理部１０５は、画像中心を回転の中心として、図２のステップＳ２１１において算出した画像回転量θをもとに、上部の領域をθ分回転させた領域を第１の置換領域４０１とする。また、画像処理部１０５は、下部の領域をθ分回転させた領域を第２の置換領域４０２とする。
【００３６】
画像処理部１０５は、左の瞳分割領域の画像４１０から、第１の置換領域４０１の位置に相当する画像４１１を取得する。また、画像処理部１０５は、右側の瞳分割領域の画像４２０から、第２の置換領域４０２の位置に相当する画像４２１を取得する。そして、画像処理部１０５は、第１の置換領域４０１に、左の瞳分割領域の画像４１０を置き換える。画像処理部１０５は、第２の置換領域４０２に、右の瞳分割領域の画像４２０を置き換える。これにより、表示画像４３０が生成される。生成された表示画像４３０内のスプリットイメージＳは、上下に分割されている。スプリットイメージＳの分割線ｄは、画像回転量θに応じた傾斜角度を有する。そして、フォーカシングリングの回転方向と回転量とに応じて、分割されたスプリットイメージの分割線ｄに沿ったずれが変化する。この例では、被写体のエッジ方向が垂直方向であって、スプリットイメージＳが上下に分割されるので、ユーザにとって、合焦に必要なフォーカシングリングの回転方向と回転量とを視覚的に理解し易い。
【００３７】
図５は、被写体のエッジ方向が水平方向であって、上側と下側の瞳分割領域ごとの画像が生成された場合の、表示画像の生成を説明する図である。
画像５００は、ライブビュー用画像である。画像５１０は、上の瞳分割領域の画像（（Ａ）＋（Ｂ））に対して画像回転量θ分の回転を行った画像である。画像５２０は、下の瞳分割領域の画像（（Ｃ）＋（Ｄ））に対して画像回転量θ分の回転を行った画像である。
【００３８】
まず、画像処理部１０５が、ライブビュー用画像５００の置換領域を決定する。画像処理部１０５は、置換領域を左右に２分割する。画像処理部１０５は、左の領域をθ分回転させた領域を第１の置換領域５０１とする。同様に、画像処理部１０５は、右の領域をθ分回転させた領域を第２の置換領域５０２とする。
【００３９】
画像処理部１０５は、上の瞳分割領域の画像５１０から、第１の置換領域５０１の位置に相当する画像５１１を取得する。また、画像処理部１０５は、下の瞳分割領域の画像５２０から、第２の置換領域５０２の位置に相当する画像５２１を取得する。そして、画像処理部１０５は、第１の置換領域５０１に、上の瞳分割領域の画像５１０を置き換える。画像処理部１０５は、第２の置換領域５０２に、下の瞳分割領域の画像５２０を置き換える。これにより、表示画像５３０が生成される。生成された表示画像５３０内のスプリットイメージＳは、分割線ｄで左右に分割されている。この例では、被写体のエッジ方向が水平方向であって、スプリットイメージＳが左右に分割されるので、ユーザにとって、合焦に必要なフォーカシングリングの回転方向と回転量とを視覚的に理解し易い。
【００４０】
図２の説明に戻る。ステップＳ２１３において、表示部１１２が、生成された表示用画像を表示する。そして、処理がステップＳ２０１に戻る。ステップＳ２１４において、制御部１０８が、記録用のデジタル画像信号を取得する。ステップＳ２１５において、画像処理部１０５が、記録用の画像を生成する。そして、ステップＳ２１６において、画像処理部１０５が、記録用の画像を記憶媒体１１４に記録する。
【００４１】
（実施例２）
図６は、実施例２におけるスプリットイメージの表示処理を説明するフローチャートである。
実施例２の撮像装置は、被写体のエッジ方向を抽出済み（取得済み）である場合に、抽出済みのエッジ方向に応じたスプリットイメージを生成する。撮像装置は、エッジ方向が抽出済みでない場合は、エッジ方向を抽出して、スプリットイメージの生成に用いる瞳分割領域を、抽出されたエッジ方向に応じた瞳分割領域に切り替える。
【００４２】
図７は、瞳分割パターンの例を示す図である。
本実施例では、図７（Ａ）に示すように、瞳分割を上下左右の４分割とする。撮像装置は、図７（Ｂ）に示すように、図７（Ａ）の領域Ａと領域Ｂ、領域Ｃと領域Ｄを組み合わせて、瞳分割パターンを上下方向の瞳分割パターンに切り替えることができる。また、撮像装置は、図７（Ｃ）に示すように、図７（Ａ）の領域Ａと領域Ｃ、領域Ｂと領域Ｄを組み合わせて、瞳分割パターンを左右方向の瞳分割パターンに切り替えることができる。
【００４３】
図６のステップＳ６０１、Ｓ６０３、Ｓ６０４、Ｓ６０５、Ｓ６０６は、図２のステップＳ２０１、Ｓ２０２、Ｓ２０３、Ｓ２０４、Ｓ２０５と同様である。また、ステップＳ６０９乃至Ｓ６１９は、図２のステップＳ２０２、Ｓ２０３、Ｓ２０８乃至Ｓ６１９と同様である。
【００４４】
ステップＳ６０２において、制御部１０８が、被写体情報としてエッジ方向を取得済みであるかを判断する。エッジ方向を取得済みである場合は、制御部１０８は、瞳分割パターンを切り替え済みであると判断して、処理がＳ６０６に進む。そして、ステップＳ６０９、Ｓ６１０の後、ステップＳ６１１で、位相差検出部１０７が、切り替え済みである瞳分割パターンに応じて生成される２像の位相差を検出する。
【００４５】
エッジ方向を取得済みでない場合は、処理がステップＳ６０３に進む。ステップＳ６０３乃至Ｓ６０５の後、ステップＳ６０６において、被写体のエッジ方向が水平方向に有意であると判断された場合は、処理がステップＳ６０７に進む。被写体のエッジ方向が垂直方向に有意であると判断された場合は、処理がステップＳ６０８に進む。
【００４６】
ステップＳ６０７において、制御部１０８が、撮像素子１０３の瞳分割パターンを上下方向に切り替える。ステップＳ６０８において、制御部１０８が、撮像素子１０３の瞳分割パターンを左右方向に切り替える。そして、処理がステップＳ６１６に進み、画像処理部１０５が、ライブビュー用画像を表示する。そして、処理がステップＳ６０１に戻る。以上、本発明の好ましい実施例について説明したが、本発明はこれらの実施例に限定されず、その要旨の範囲内で種々の変形及び変更が可能である。
【００４７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４８】
１００  撮像装置
１０５  画像処理部
１０６  被写体情報抽出部
１０８  制御部
【図１】
0006598624.tif 000002
【図２】
0006598624.tif 000003
【図３】
0006598624.tif 000004
【図４】
0006598624.tif 000005
【図５】
0006598624.tif 000006
【図６】
0006598624.tif 000007
【図７】
0006598624.tif 000008